(57)【要約】【課題】ロール体からの記録媒体先端の剥離を確実に行なえる記録媒体の供給装置を提供する。【解決手段】ロール紙１２の幅方向の一部の範囲においてロール紙１２周面と当接するフィードローラ８８と、この一部の範囲と異なる他の範囲においてロール紙１２周面と当接する剥離板９０とを備えている。ロール紙１２が回転され、記録紙先端４４ａが剥離部５２に到達すると、剥離板９０の先端がロール紙１２の周面と記録紙先端４４ａとの隙間に進入する。このとき、ロール紙１２周面に当接するフィードローラ８８によって記録紙先端４４ａは一直線にはならずにロール紙１２周面に対して波打つ。とくにフィードローラ８８がロール紙１２と当接していない範囲Ｌ３，Ｌ４，Ｌ５ではロール紙１２周面との隙間ｔ２が広く、剥離板９０の先端をロール紙１２周面と記録紙先端４４ａとの隙間ｔ２に挿入させ易い。これにより剥離板９０による記録紙先端４４ａの剥離を確実に行なえる。【選択図】  図３
2005254722.tif 000002
【特許請求の範囲】
【請求項１】
記録媒体がロール状に巻回されたロール体の周面と当接して、該ロ−ル体を回転させるフィードローラと、前記ロール体の周面と当接して前記記録媒体の先端をロ−ル体周面から剥離しガイドするための剥離部材とを備え、剥離された前記記録媒体を記録部に供給する記録媒体の供給装置において、
前記フィードローラは前記ロール体の幅方向の一部の範囲において該ロール体周面と当接するように設けられるとともに、
前記剥離部材は前記ロール体の幅方向の前記一部の範囲と異なる他の範囲において前記ロール体周面と当接するように設けられていることを特徴とする記録媒体の供給装置。
【請求項２】
前記剥離部材は、前記フィードローラの近傍に配置されていることを特徴とする請求項１に記載された記録媒体の供給装置。
【請求項３】
前記記録媒体は、その表面に熱によって変色し、所定の波長の光で定着する発色層を有する記録紙であることを特徴とする請求項１または請求項２に記載された記録媒体の供給装置。
【発明の詳細な説明】
【技術分野】
【０００１】
本発明は記録媒体の供給装置に係り、特に記録媒体がロール状に巻回されたロール体を用いる記録媒体の供給装置に関する。
【背景技術】
【０００２】
一般にプリンタは、単葉用紙（カット紙）を使用するタイプと連続用紙（ロール紙）を使用するタイプのものが知られている。とくに後者は、記録紙（記録媒体）がロール状に巻回されたロール紙（ロール体）から記録紙を引き出し、記録部などに搬送させる。
【０００３】
従来、この様な記録媒体の供給装置において、ロール紙の補給時にロール紙周面（外周部）から記録紙の先端を剥離するための剥離部材を備えたものが知られている（特許文献１参照）。
【０００４】
この記録媒体の供給装置では、ロール紙収納部内のロール紙を駆動するフィードローラ（特許文献１ではピックアップローラ）がロール紙周面に当接し、ロール紙は給紙ユニット内で回転される。ロール紙周面には剥離部材を構成する剥離板が当接し、この剥離板がロール紙の回転によってロール紙周面と記録紙先端との隙間に入り込み、ロール紙周面から記録紙が剥離される。剥離された記録紙はたとえば記録部まで搬送され、記録部にて記録紙の画像形成面に画像が形成される。
【０００５】
また、特許文献２に記載の記録媒体の供給装置では、ロール紙周面の記録紙先端の手前に回転するロール紙の周速度よりも早く回転する剥離ローラを押しあて、ロール紙の周速度と剥離ローラの周速度との差で記録紙先端の剥離を誘発させる技術が知られている。
【特許文献１】特開２００２−２９６５０号公報
【特許文献２】特開平１１−４９４０９号公報
【発明の開示】
【発明が解決しようとする課題】
【０００６】
特許文献１における図５に示すように、フィードローラはロール紙の全幅領域の一部の幅（ローラ幅）を持ってロール紙周面に当接されるが、この部分ではローラ圧によって記録紙先端とロール紙周面との隙間（距離）が無きに等しい。したがって、この部分で剥離板を当該隙間に挿入しようとしても挿入が困難で剥離に失敗し易い不具合があった。剥離に失敗すると、記録紙搬送路外に記録紙が進入して周辺部材を破損したり、紙詰まりが発生する場合があった。また、剥離板はプラスチックなどの樹脂によって形成されており、このように隙間が小さい部分で剥離板による剥離を行なうと、剥離板の先端部に記録紙先端が衝突し易く、剥離板が磨耗・破損し易い欠点があった。
【０００７】
一方、記録紙は画像形成面の酸化防止の観点から、画像形成面を出来る限り空気から遮断しておくことが望ましい。しかし、特許文献２に記載された記録媒体の供給装置では、ロール紙から記録紙が余分に剥離されやすく、画像形成面に空気が接触し易い問題があった。また、剥離ローラによって記録紙に曲がりぐせが付く不具合があった。
【０００８】
本発明はこのような事情に鑑みてなされたもので、ロール体からの記録媒体先端の剥離を確実に行なえる記録媒体の供給装置を提供することを目的とする。
【課題を解決するための手段】
【０００９】
本願発明者はフィードローラが当接していないローラ幅以外の部分では記録媒体先端とロール体周面との隙間が大きく、この部分に剥離部材を設ければ、剥離部材を当該隙間に挿入し易いことに着目した。
【００１０】
本発明は前記目的を達成するために、記録媒体がロール状に巻回されたロール体の周面と当接して、該ロ−ル体を回転させるフィードローラと、前記ロール体の周面と当接して前記記録媒体の先端をロ−ル体周面から剥離しガイドするための剥離部材とを備え、剥離された前記記録媒体を記録部に供給する記録媒体の供給装置において、前記フィードローラは前記ロール体の幅方向の一部の範囲において該ロール体周面と当接するように設けられるとともに、前記剥離部材は前記ロール体の幅方向の前記一部の範囲と異なる他の範囲において前記ロール体周面と当接するように設けられていることを特徴としている。
【００１１】
本発明によれば、ロール体の幅方向の一部の範囲においてロール体周面と当接するフィードローラと、この一部の範囲と異なる他の範囲においてロール体周面と当接する剥離部材とを備えているので、記録媒体の先端とロール体周面との隙間が大きい部分で当該隙間に剥離部材を挿入できる。したがって、記録媒体の先端をロール体周面から確実かつスムーズに剥離できる。また、当該隙間が大きい部分で剥離部材による剥離を行なうので、剥離部材の磨耗を防止できる。
【００１２】
請求項２に記載された本発明によれば、剥離部材は、フィードローラの近傍に配置されているので、たとえば画像形成面を供えた記録紙がロール状に巻回されたロール紙をロール体として用いた場合には、記録紙がロール紙周面から余分に剥離されることなく、画像形成面と空気との接触を最小限に抑制できる。すなわち、フィードローラと剥離部材との設置位置を離して設置すると、記録媒体の先端とロール体周面との隙間を広げることができるため、剥離部材による剥離は容易となる。しかし、この種の記録媒体の供給装置では、記録媒体先端の剥離を繰り返し行なうことを避けるために記録媒体先端をロール体から一度剥離した後は二度と剥離を行なわず、剥離部材に記録媒体先端を引っ掛けた状態、すなわち当該先端を少量だけ剥離した状態で待機させるものが主である。このため、剥離部材とフィードローラの間隔を遠ざけるほど記録媒体の剥離されたままの部分が長くなり、空気と接触する面積が増加してしまう。これを避けるため、本発明に示すように剥離部材とフィードローラは可能な限りその設置位置を近づけることが好ましい。
【００１３】
請求項３に記載された本発明によれば、記録媒体は、その表面に熱によって変色し、所定の波長の光で定着する発色層を有する記録紙である。この記録紙は、画像形成面に空気が接触すると画像形成面が酸化し画像が劣化するが、本発明によって画像劣化が防止できる。
【００１４】
なお、たとえばロール体の幅全域にわたり、フィードローラがロール体周面に当接する構成の記録媒体の供給装置の場合には、記録媒体の先端が幅全域で押さえられているのでロール体外周と記録媒体の先端との隙間が狭く、剥離部材をいずれの位置としてもロール体外周から記録媒体の先端を剥離し難い。また、フィードローラがロール体の幅方向の一部の幅で当接するものであっても、剥離部材がロール体の全幅領域にわたってロール体に当接する構成の記録媒体の供給装置では、フィードローラとロール体の当接する部分で剥離が失敗する可能性が高く、やはり好ましい態様とは言えない。
【００１５】
したがって、本発明に係る記録媒体の供給装置に示されるように、フィードローラと剥離部材とを重ねずに配置することによって、隙間が大きい部分で剥離部材を挿入できるとともに、フィードローラと剥離部材との設置位置を近づけて設置でき、たとえば装置自体の小型化も実現できる。
【発明の効果】
【００１６】
本発明によれば、記録媒体先端とロール体周面との隙間が大きい部分で剥離部材を当該隙間に挿入でき、記録媒体先端の剥離が確実に行なえる。
【発明を実施するための最良の形態】
【００１７】
以下、添付図面に従って本発明に係る記録媒体の供給装置の好ましい実施の形態について詳説する。図１は本発明の記録媒体の供給装置が適用されるプリンタの内部構造を示す正面図である。
【００１８】
プリンタ１０は、サーモ・オートクローム（ＴＨＥＲＭＯ−ＡＵＴＯＣＨＲＯＭＥ）方式（以下、ＴＡ方式という）のデジタルカラープリンタであって、主としてロール紙（ロール体）１２を収納したロール紙ケース１４がセットされるロール紙収納部１６、ピンチローラ１８、キャプスタンローラ２０、サーマルヘッド２２、プラテンローラ２４、カッター部２６、マゼンタ（Ｍ）定着ランプ２８、イエロー（Ｙ）定着ランプ３０、排紙駆動ローラ３２などから成る。そして、これらの各構成部材は略直方形状のケーシング３６に収納されている。なお、図１中、符合３８は排紙トレイ部である。
【００１９】
ロール紙１２は、画像形成面４０が内側に向くようにロール紙軸４２に記録紙４４が巻回された連続用紙である。画像形成面４０は、たとえば支持体の上にシアン、マゼンタ、イエローの３層発色層が形成されるとともに、最上層に耐熱保護層が形成されて成る。なお、ロール紙１２の幅寸法はＡ４，Ａ５，Ａ６などの各用紙サイズに対応させていろいろな設定が可能であるが、本実施の形態ではＡ６サイズ用（有効幅寸法１４８ｍｍ）のロール紙を例として説明する。
【００２０】
ロール紙ケース１４は、ロール紙１２を回転駆動するフィードローラ部５０および剥離部５２を備え、ロール紙ケース１４側面の送出口５４から剥離された記録紙４４をピンチローラ１８とキャプスタンローラ２０まで送出する。ロール紙ケース１４およびフィードローラ部５０、剥離部５２については後述する。
【００２１】
ピンチローラ１８とキャプスタンローラ２０とは互いに対向配置されており、ロール紙ケース１４の送出口５４から送り出された記録紙４４をピンチローラ１８とキャプスタンローラ２０とで挟持する。キャプスタンローラ２０には図示せぬモータの回転駆動力が加えられ、フィードローラ部５０に設けられた後述するフィードローラ８８（図１において不図示）と同じ方向に駆動する。
【００２２】
符号２２はサーマルヘッドであり、その下方には記録紙４４を挟みプラテンローラ２４が対向して配置される。ピンチローラ１８とキャプスタンローラ２０の回転に伴って記録紙４４が図１上で右方向に搬送され、サーマルヘッド２２とプラテンローラ２４間の所定位置まで搬送されると、サーマルヘッド２２が記録紙４４に圧接して記録紙４４の画像形成面４０への画像形成が行なわれる。
【００２３】
サーマルヘッド２２の後段にはカッター部２６が配設されている。カッター部２６は画像形成終了後に記録紙４４を所定の大きさ（たとえばＡ６サイズなど）に切断するためのものであり、上刃と下刃とが記録紙４４を挟んで対向配置され、上下の刃で記録紙４４を挟んで切り離す。
【００２４】
Ｍ定着ランプ２８およびＹ定着ランプ３０は、給送される記録紙４４の画像形成面４０の上方に設置されている。Ｍ定着ランプ２８とＹ定着ランプ３０との間および、Ｙ定着ランプ３０の後方には排紙ピンチローラ５８が配置され、この排紙ピンチローラ５８の下方には記録紙４４を挟み排紙駆動ローラ３２が配置されている。排紙駆動ローラ３２は図示せぬモータの回転駆動力が加えられることにより図１上で反時計方向に回転し、カッター部２６で所定の大きさに切断された記録紙４４を同図左側の排紙トレイ部３８側へと送り出す。排紙トレイ部３８には画像形成済みの記録紙４４が集積される。なお、排紙トレイ部３８はプリンタ１０本体に対して引き出し／収納可能である。
【００２５】
プリンタ１０にはこのほかにも、記録紙４４の画像形成位置を決定するためのフォトセンサーやジャムの発生を検出するジャムセンサー、上述した各機器に各種指示信号（画像形成信号など）を出力する制御部などが設けられているものとする。
【００２６】
つぎに、ロール紙ケース１４について説明する。
【００２７】
図２に示すようにロール紙ケース１４は、ロール紙１２を上下から覆う略円筒状の形状からなり、上蓋としての上ケース６０と、フィードローラ部５０やその近傍に設置された剥離部５２などを備える下ケース６２とから構成されている。なお、上ケース６０は下ケース６２のヒンジ６３によって下ケース６２に回動自在に軸支されており、図２は上ケース６０を閉じた状態を示すものである。ロール紙ケース１４を持ち運ぶための不図示の取手をロール紙ケース１４に備えた構成としてもよい。
【００２８】
ロール紙１２のロール紙軸４２の図２における手前側と奥側には、下ケース６２へのロール紙１２収納前に作業者によって支持軸６４を備える円筒状のフランジ６６が嵌め込まれる。下ケース６２の図２における手前側および奥側それぞれの側面には、略くの字形状に形成された案内溝６８が設けられ、ロール紙１２収納時にはこの案内溝６８にフランジ６６の支持軸６４を挿入させる。これにより、ロール紙ケース１４内でロール紙１２がフランジ６６によって支持される。また、ロール紙１２の記録紙４４の残量が無くなるにつれて細くなるロール紙１２の径、すなわちフランジ６６の支持軸６４とフィードローラ８８（後述する）との距離の変化に追従するように、支持軸６４が案内溝６８に沿ってガイドされ、ロール紙１２の外周がフィードローラ８８と常に接する。
【００２９】
下ケース６２の底部には、ロール紙１２周面における記録紙４４の記録紙先端４４ａを検知するためのセンサ７２が設けられている。センサ７２にはロール紙１２周面に当接するローラ７６を備えており、ローラ圧がセンサ７２によって検出される。センサ７２はプリンタ１０本体の不図示の制御部と回路接続され、ローラ圧の変化が制御部によって検出されて、ロール紙１２周面の記録紙先端４４ａが制御部によって検知される。なお、ローラ７６は、ロール紙１２の支持軸６４の移動に関わらずロール紙１２周面に常に当接される。
【００３０】
つぎに、本発明に係るプリンタの特徴部分であるフィードローラ部５０と剥離部５２について説明する。
【００３１】
下ケース６２底部から下ケース６２側面の送出口５４に向けて、フィードローラ部５０、剥離部５２、ガイドローラ８０，８２などを備える記録紙搬送路が設けられている。
【００３２】
フィードローラ部５０には駆動軸８６と、この駆動軸８６に同軸固定され、駆動軸８６よりやや太径の弾性体（ゴムなど）からなるフィードローラ８８とが設けられている。なおフィードローラ８８の取り付け位置は、その回転軸芯が前記案内溝６８の下半分の屈曲部分における軸部の略延長上に位置されるように予め設定されている。
【００３３】
一方、剥離部５２には、下ケース６２側の剥離板保持部材９４によって支持された剥離板９０（剥離部材）が設けられ、この剥離板９０は、ロール紙１２方向に突出させるようにその取り付け角度が定められている。また剥離板９０は、たとえば樹脂などによって形成され、剥離板９０自身がもつ弾性性質によって変形し（二点破線および実線）、ロール紙１２の径や位置の変化に追従してロール紙１２周面に常に当接する。
【００３４】
図３は、ロール紙１２の周面におけるフィードローラ８８や剥離板９０などを、記録紙先端４４ａの引き出し方向から見た概念図である。フィードローラ８８と剥離板９０は便宜上ロール紙１２周面から離して図示している。同図に示すように剥離板９０は、ロール紙１２の幅方向に対してフィードローラ８８と交互に配置されており、ロール紙１２の幅に対し、フィードローラ８８と重複（ラップ）することのないようにその位置が位置決めされている。すなわち剥離板９０は、フィードローラ８８がロール紙１２周面と当接する範囲とは異なる範囲でロール紙１２周面と当接する。
【００３５】
なお、剥離板９０の幅寸法やフィードローラ８８に対する取り付け位置は、前述したようにフィードローラ８８とラップしなければとくに問わないが、剥離板９０の端部がフィードローラ８８側部に接触することがないような位置とすることが望ましい。
【００３６】
駆動軸８６には不図示のモータによって回転駆動力が伝達され、これによりフィードローラ８８が駆動軸８６とともに回転される。ロール紙１２の収納時において、このフィードローラ８８にはロール紙１２周面の記録紙４４が常に当接しており、フィードローラ８８の回転とともにロール紙１２はケース内で回転駆動される。
【００３７】
図２に示すガイドローラ８０，８２は、ロール紙１２周面から剥離された記録紙先端４４ａを記録紙搬送路に沿って送出口５４までガイドする。ガイドローラ８０，８２を設けずに下ケース６２の側壁によって記録紙搬送路を形成し、この側壁によって記録紙先端４４ａが送出口５４までガイドされる構成のものでもよい。なお、符号８４は、記録紙搬送路に設けられた開閉式のシャッタであり、記録紙先端４４ａのフィードに伴って当該シャッタ８４が開成し、送出口５４から記録紙先端４４ａが進出する。シャッタ８４の閉成時には送出口５４からロール紙ケース１４内部への湿気や塵埃などの進入が防止される。
【００３８】
つぎに、本発明に係る記録媒体の供給装置の作用を説明する。
【００３９】
はじめにロール紙１２をロール紙ケース１４に収納する。図２に示すように、ロール紙１２のロール紙軸４２にフランジ６６を取り付けた後、記録紙先端４４ａが反時計方向に向けて引き出され、かつロール紙１２の下側に位置するようにロール紙１２を下ケース６２にセットする。この際、フランジ６６の支持軸６４を案内溝６８と係合させる。ついで、上ケース６０を閉じる。なお、このロール紙１２の収納にともない、センサ７２のローラ７６がロール紙１２の周面の位置に位置決めされる。また、剥離板９０がロール紙１２の周面に当接する。
【００４０】
この後、ロール紙ケース１４をプリンタ１０のロール紙収納部１６（図１参照）にセットすると、図示せぬ駆動系によってフィードローラ部５０の駆動軸８６が駆動され、フィードローラ８８が時計方向に回転されてロール紙１２が反時計方向に回転させられる。
【００４１】
ロール紙１２周面における記録紙先端４４ａは、ロール紙１２の反時計方向の回転に伴いセンサ７２によって検出された後、剥離部５２に到達し、剥離板９０によって剥離される。すなわち、剥離板９０の先端がロール紙１２周面と記録紙先端４４ａとの間に進入する。
【００４２】
ここで、図３に示したようにフィードローラ８８がロール紙１２の全幅領域の一部しかないと、記録紙先端４４ａは一直線にはならずにロール紙１２周面に対して波打つ。具体的には、フィードローラ８８が当接している範囲Ｌ１，Ｌ２では、記録紙先端４４ａはフィードローラ８８のローラ圧によってロール紙１２周面に押さえつけられているため、記録紙先端４４ａとロール紙１２周面との隙間ｔ１はほとんど無きに等しい。逆に、フィードローラ８８が当接していない範囲Ｌ３，Ｌ４，Ｌ５では、記録紙先端４４ａがロール紙周面から浮き易く、ロール紙１２周面との隙間ｔ２が広い。剥離板９０は、この範囲Ｌ３，Ｌ４，Ｌ５全て（または、そのいずれかでもよい）に配置されているので、剥離板９０の先端がロール紙１２周面と記録紙先端４４ａとの隙間ｔ２に進入し易い。
【００４３】
さらに、フィードローラ８８が回転させられると、剥離板９０によってロール紙１２周面から記録紙先端４４ａが剥離された後、剥離板９０によってガイドされ、ガイドローラ８０，８２によって送出口５４までフィードされる。
【００４４】
送出口５４から進出した記録紙先端４４ａは、図１に示したようにピンチローラ１８とキャプスタンローラ２０で挟持され、サーマルヘッド２２まで搬送される。
【００４５】
このように、フィードローラ８８と剥離板９０の位置とをロール紙１２の幅方向にずらして、ラップさせずに配置することによって、剥離板９０は記録紙先端４４ａの剥離を行い易くなり、記録紙先端４４ａの剥離の失敗を防止できる。したがって、記録紙４４のジャミングなどによる像形成時間の遅延や周辺機器の破損などを防止することができる。
【００４６】
なお、プリンタ１０による画像形成動作を説明すると、図１上右方向に搬送された記録紙４４には所定間隔で形成された位置決めマーカーが施されており、これをプリンタ１０内部のフォトセンサーによって検出し、検出時点からピンチローラ１８およびキャプスタンローラ２０によって記録紙４４を図１上左方向に所定量だけ搬送して画像形成開始位置まで戻す。ついで、改めて右方向に一定速度で搬送しながら記録紙４４のイエロー層が発色する熱エネルギーの範囲内で、そのイエロー層がカラー画像に応じた発色濃度となるようにサーマルヘッド２２を制御する。続いてＹ定着ランプ３０によって光を照射してイエローの発色を定着させる。
【００４７】
ついで、記録紙４４を前記画像形成開始位置まで巻き戻し、その後、再び記録紙４４を図１上で右方向に一定速度で搬送するとともに、記録紙４４のマゼンタ層が発色する熱エネルギーの範囲内で、そのマゼンタ層がカラー画像に応じた発色濃度となるようにサーマルヘッド２２を制御し、続いてＭ定着ランプ２８から光を照射してマゼンタの発色を定着させる。さらに、記録紙４４を画像形成開始位置まで再び巻き戻し、その後、記録紙４４を図１上で右方向に一定速度で搬送するとともに、記録紙４４のシアン層が発色する熱エネルギーの範囲内で、そのシアン層がカラー画像に応じた発色濃度となるようにサーマルヘッド２２を制御する。
【００４８】
このようにして記録紙４４にカラー画像を形成した後、カッター部２６によって記録紙４４を切断し、画像形成済みの記録紙４４を排紙トレイ部３８へと排紙する。
【００４９】
上述したような実施の形態に示した記録媒体の供給装置の構成は、前記実施の形態に限定されるものではない。たとえば図４に示すように、ロール紙１２と記録紙先端４４ａの隙間に挿入される先端の形状が円弧状の形状に形成された剥離板１００を用いれば、記録紙４４の記録紙先端４４ａとロール紙１２の周面との隙間にスムーズに剥離板１００を挿入できる。
【００５０】
また、駆動軸８６に一組のフィードローラ８８を設けた構成としているが、フィードローラ８８のロール紙１２との当接位置と、剥離板９０の位置とをロール紙１２の幅方向にずらして配置するのであればこれに限定されず、たとえば駆動軸８６に３個以上のｎ個のフィードローラ８８を設け、この間に剥離板９０を（ｎ＋１）個配置した構成としてもよい。また、ロール紙１２をスリップなどさせずにフィードローラ８８からの駆動力をロール紙１２に伝達できるのであれば、フィードローラ８８を一つだけ備え、このフィードローラ８８にラップしないように剥離板９０を配置した構成としてもよい。
【００５１】
また、本実施の形態では、記録紙４４をロール状に備えたロール紙１２に画像が形成される構成のプリンタを用いたが、その表面に画像形成面を備えたシール紙が一定のパターンで仮貼付されたシール作成専用の台紙を記録紙に代えて用いたロール紙でもよい。この場合には、シール紙の表面に画像が形成される。さらに、たとえばロール状の樹脂シートや布などに画像を形成するプリンタに本発明を適用してもよい。
【図面の簡単な説明】
【００５２】
【図１】本発明の実施の形態に係る記録媒体の供給装置が適用されるプリンタの構成図
【図２】本発明の実施の形態に係る記録媒体の供給装置が適用されるプリンタのロール紙供給部の詳細を示す断面図
【図３】本発明の実施の形態に係る記録媒体の供給装置が適用されるプリンタのフィードローラ部、剥離部を示す詳細図
【図４】本発明の実施の形態に係る記録媒体の供給装置が適用されるプリンタのロール紙供給部の剥離機構の別の実施の形態を示す詳細図
【符号の説明】
【００５３】
１０…プリンタ、１２…ロール紙、２２…サーマルヘッド、４４…記録紙、４４ａ…記録紙先端、５０…フィードローラ部、５２…剥離部、８８…フィードローラ、９０…剥離板
【図１】
2005254722.tif 000003
【図２】
2005254722.tif 000004
【図３】
2005254722.tif 000005
【図４】
2005254722.tif 000006